(57)【要約】【課題】  上下の基板のために追加の処理工程を不要とし、製造のコスト及び複雑さを低減することができるマルチドメイン垂直配向液晶ディスプレイを提供する。【解決手段】  マルチドメイン垂直配向液晶ディスプレイ（ＭＶＡ  ＬＣＤ）は、複数のピクセルユニットを画定する複数のピクセル電極を有する。ピクセルユニットは、マトリクス状に配置され、それぞれ、第１の電極、第２の電極、及び第３の電極を有する。ピクセル電極に電圧が印加される場合には、第１の電極と共通電極は、第２の電極と共通電極とよりも高い絶対電位差を有する。第３の電極と共通電極は、最も低い絶対電位差を有する。【選択図】  図２
2004341487.tif 000002
【特許請求の範囲】
【請求項１】
第１の基板、及び当該第１の基板とは離隔されて位置して当該第１の基板と平行とされる第２の基板と、
上記第１の基板と上記第２の基板との間の空間を満たす液晶材料と、
電圧が印加されない場合には、上記液晶材料の液晶分子が、その表面に対して略垂直に配列される垂直配向フィルムと、
上記第２の基板の内側にある共通電極と、
マトリクス状に配置された複数のピクセルユニットを画定する上記第１の基板の内側にある複数のピクセル電極とを備え、
上記複数のピクセル電極は、それぞれ、上記ピクセルユニットが複数のエリアを有するように当該ピクセル電極を複数のセクション電極に分割するための主スリットを有し、
上記複数のエリアは、それぞれ、上記複数のセクション電極の中央に位置する主電極と、複数の副スリット及び複数の副電極を有し、上記主電極の２つの側面にある格子電極とを有し、
上記複数の副スリットは、上記複数の副電極と交互に配置されること
を特徴とするマルチドメイン垂直配向液晶ディスプレイ。
【請求項２】
上記主スリットは、上記複数の副電極及び上記複数の副スリットよりも広いこと
を特徴とする請求項１記載のマルチドメイン垂直配向液晶ディスプレイ。
【請求項３】
上記主電極は、上記複数の副電極及び上記複数の副スリットよりも広いこと
を特徴とする請求項１記載のマルチドメイン垂直配向液晶ディスプレイ。
【請求項４】
上記主スリットは、上記ピクセル電極を上記複数のセクション電極に分割するように当該ピクセル電極の対角線上に位置すること
を特徴とする請求項１記載のマルチドメイン垂直配向液晶ディスプレイ。
【請求項５】
上記主電極は、上記主スリットと略平行とされること
を特徴とする請求項４記載のマルチドメイン垂直配向液晶ディスプレイ。
【請求項６】
上記複数のピクセル電極は、それぞれ、当該ピクセル電極を複数のセクション電極に分割するために複数の上記主スリットを有すること
を特徴とする請求項１記載のマルチドメイン垂直配向液晶ディスプレイ。
【請求項７】
上記液晶材料は、ネガティブタイプであること
を特徴とする請求項１記載のマルチドメイン垂直配向液晶ディスプレイ。
【請求項８】
第１の基板、及び当該第１の基板とは離隔されて位置して当該第１の基板と平行とされる第２の基板と、
上記第１の基板と上記第２の基板との間の空間を満たす液晶材料と、
電圧が印加されない場合には、上記液晶材料の液晶分子が、その表面に対して略垂直に配列される配向フィルムと、
上記第２の基板の内側にある共通電極と、
マトリクス状に配置された複数のピクセルユニットを画定する上記第１の基板の内側にある複数のピクセル電極とを備え、
上記複数のピクセル電極は、それぞれ、第１の電極と、第２の電極と、第３の電極とを有し、
上記ピクセル電極に電圧が印加される場合には、上記第１の電極と上記共通電極は、上記第２の電極と上記共通電極とよりも高い絶対電位差を有し、上記第３の電極と上記共通電極は、最も低い絶対電位差を有すること
を特徴とするマルチドメイン垂直配向液晶ディスプレイ。
【請求項９】
上記第３の電極は、上記ピクセルユニットが複数の領域を有するように上記ピクセル電極を複数のセクション電極に分割するための主スリットであり、
上記複数のセクション電極は、それぞれ、上記複数のセクション電極の中央に位置する第１の電極である主電極と、上記主電極の２つの側面にある第２の電極である格子電極とを有し、
上記格子電極は、複数の副スリット及び複数の副電極を有し、
上記複数の副スリットは、上記複数の副電極と交互に配置されること
を特徴とする請求項８記載のマルチドメイン垂直配向液晶ディスプレイ。
【請求項１０】
上記主スリットは、上記複数の副電極及び上記複数の副スリットよりも広いこと
を特徴とする請求項９記載のマルチドメイン垂直配向液晶ディスプレイ。
【請求項１１】
上記主電極は、上記複数の副電極及び上記複数の副スリットよりも広いこと
を特徴とする請求項９記載のマルチドメイン垂直配向液晶ディスプレイ。
【請求項１２】
上記主スリットは、上記ピクセル電極を上記複数のセクション電極に分割するように当該ピクセル電極の対角線上に位置すること
を特徴とする請求項９記載のマルチドメイン垂直配向液晶ディスプレイ。
【請求項１３】
上記主電極は、上記主スリットと略平行とされること
を特徴とする請求項１２記載のマルチドメイン垂直配向液晶ディスプレイ。
【請求項１４】
上記複数のピクセル電極は、それぞれ、当該複数のピクセル電極をそれぞれ複数のセクション電極に分割するために互いに交差する複数の上記主スリットを有すること
を特徴とする請求項９記載のマルチドメイン垂直配向液晶ディスプレイ。
【請求項１５】
上記液晶材料は、ネガティブタイプであること
を特徴とする請求項８記載のマルチドメイン垂直配向液晶ディスプレイ。
【発明の詳細な説明】
【技術分野】
【０００１】
本発明は、一般に液晶ディスプレイ（Liquid Crystal Display；ＬＣＤ）に関し、特に、マルチドメイン垂直配向ＬＣＤ（Multi-domain Vertical Alignment LCD；ＭＶＡ  ＬＣＤ）に関する。
【背景技術】
【０００２】
マルチドメイン垂直配向液晶ディスプレイ（ＭＶＡ  ＬＣＤ）は、従来のＬＣＤと比較して、広視野角を有している。図１は、電圧が印加されない場合における従来のＭＶＡ  ＬＣＤの断面図である。電極１２ａは、基板１１ａの上に形成される。絶縁材料から構成されるバンプ１３ａは、電極１２ａの上に形成される。バンプ１３ａ及び電極１２ａは、垂直配向フィルム１４ａによって覆われる。さらに、電極１２ｂは、基板１１ｂの下に形成される。また、絶縁材料のバンプ１３ｂは、電極１２ｂの下に形成される。バンプ１３ｂ及び電極１２ｂは、垂直配向フィルム１４ｂによって覆われる。
【０００３】
電極１２ａ，１２ｂに電圧が印加されない場合には、液晶分子１５は、例えば８５〜９０度といったように、配向フィルムに対して略垂直に配列される。電極１２ａ，１２ｂの両端に電圧が印加される場合には、バンプの周囲にある液晶分子１５は、チルトしてバンプから離隔している当該液晶分子１５を傾ける。バンプの２つの側面にある液晶分子１５は、当該液晶分子１５が自動的にいくつかの表示領域を形成するような方向とは反対の方向へ傾く。
【０００４】
他の種類のＭＶＡ  ＬＣＤは、上の基板上にバンプ及び下の基板上にスリットを有するか、上下両方の基板上にスリットを有する。それらは全て、液晶分子のチルトを生じさせるために電界を利用する。さらに、それらは、上下の基板のために追加の処理工程を要し、製造のコスト及び複雑さを増加させる。
【発明の開示】
【発明が解決しようとする課題】
【０００５】
本発明は、このような実情に鑑みてなされたものであり、上下の基板のために追加の処理工程を不要とし、製造のコスト及び複雑さを低減することができるマルチドメイン垂直配向液晶ディスプレイを提供することを目的とする。
【課題を解決するための手段】
【０００６】
上述した目的を達成する本発明にかかるマルチドメイン垂直配向液晶ディスプレイは、第１の基板、及び当該第１の基板とは離隔されて位置して当該第１の基板と平行とされる第２の基板と、上記第１の基板と上記第２の基板との間の空間を満たす液晶材料と、電圧が印加されない場合には、上記液晶材料の液晶分子が、その表面に対して略垂直に配列される垂直配向フィルムと、上記第２の基板の内側にある共通電極と、マトリクス状に配置された複数のピクセルユニットを画定する上記第１の基板の内側にある複数のピクセル電極とを備え、上記複数のピクセル電極は、それぞれ、上記ピクセルユニットが複数のエリアを有するように当該ピクセル電極を複数のセクション電極に分割するための主スリットを有し、上記複数のエリアは、それぞれ、上記複数のセクション電極の中央に位置する主電極と、複数の副スリット及び複数の副電極を有し、上記主電極の２つの側面にある格子電極とを有し、上記複数の副スリットは、上記複数の副電極と交互に配置されることを特徴としている。
【０００７】
このような本発明にかかるマルチドメイン垂直配向液晶ディスプレイは、同じピクセルユニットの異なるエリアで異なる方向を備えた電界が生成されることから、同じピクセルユニットの液晶分子がマルチドメインを形成する異なるチルト角を有することになり、単に基板上にスリットを作成することにより、マルチドメイン効果を果たすことができる。
【０００８】
ここで、上記主スリットは、上記複数の副電極及び上記複数の副スリットよりも広く、また、上記主電極は、上記複数の副電極及び上記複数の副スリットよりも広い。
【０００９】
また、上記主スリットは、上記ピクセル電極を上記複数のセクション電極に分割するように当該ピクセル電極の対角線上に位置し、上記主電極は、上記主スリットと略平行とされる。
【００１０】
さらに、上記複数のピクセル電極は、それぞれ、当該ピクセル電極を複数のセクション電極に分割するために複数の上記主スリットを有する。
【００１１】
なお、上記液晶材料は、ネガティブタイプである。
【００１２】
また、上述した目的を達成する本発明にかかるマルチドメイン垂直配向液晶ディスプレイは、第１の基板、及び当該第１の基板とは離隔されて位置して当該第１の基板と平行とされる第２の基板と、上記第１の基板と上記第２の基板との間の空間を満たす液晶材料と、電圧が印加されない場合には、上記液晶材料の液晶分子が、その表面に対して略垂直に配列される配向フィルムと、上記第２の基板の内側にある共通電極と、マトリクス状に配置された複数のピクセルユニットを画定する上記第１の基板の内側にある複数のピクセル電極とを備え、上記複数のピクセル電極は、それぞれ、第１の電極と、第２の電極と、第３の電極とを有し、上記ピクセル電極に電圧が印加される場合には、上記第１の電極と上記共通電極は、上記第２の電極と上記共通電極とよりも高い絶対電位差を有し、上記第３の電極と上記共通電極は、最も低い絶対電位差を有することを特徴としている。
【００１３】
このような本発明にかかるマルチドメイン垂直配向液晶ディスプレイは、生成された電界が同じピクセルユニットの異なるエリアで異なる方向を有することから、同じピクセルユニットの液晶分子がマルチドメインを形成する異なるチルト角を有することになり、単に基板上にスリットを作成することにより、マルチドメイン効果を達成することができる。
【００１４】
ここで、上記第３の電極は、上記ピクセルユニットが複数の領域を有するように上記ピクセル電極を複数のセクション電極に分割するための主スリットであり、上記複数のセクション電極は、それぞれ、上記複数のセクション電極の中央に位置する第１の電極である主電極と、上記主電極の２つの側面にある第２の電極である格子電極とを有し、上記格子電極は、複数の副スリット及び複数の副電極を有し、上記複数の副スリットは、上記複数の副電極と交互に配置される。
【００１５】
また、上記主スリットは、上記複数の副電極及び上記複数の副スリットよりも広く、また、上記主電極は、上記複数の副電極及び上記複数の副スリットよりも広い。
【００１６】
さらに、上記主スリットは、上記ピクセル電極を上記複数のセクション電極に分割するように当該ピクセル電極の対角線上に位置し、上記主電極は、上記主スリットと略平行とされる。
【００１７】
さらにまた、上記複数のピクセル電極は、それぞれ、当該複数のピクセル電極をそれぞれ複数のセクション電極に分割するために互いに交差する複数の上記主スリットを有する。
【００１８】
なお、上記液晶材料は、ネガティブタイプである。
【発明の効果】
【００１９】
本発明にかかるマルチドメイン垂直配向液晶ディスプレイは、上下の基板についてバンプを製造する追加の処理工程を省略することができ、製造のコスト及び複雑さを低減することができる。
【発明を実施するための最良の形態】
【００２０】
以下、本発明を適用した具体的な実施の形態について図面を参照しながら詳細に説明する。本発明の他の目的、特徴、及び利点は、好ましいものの限定されることはない具体例についての以下の詳細な記述から明らかとなるであろう。以下記述は、添付した図面に関連してなされる。
【００２１】
本発明は、単に１つの基板のピクセル電極にスリットを形成することにより、マルチドメイン効果を達成するものである。高、中間、低電圧が生成され、傾いた電界が生成される。したがって、液晶分子は、異なるチルト角で配向し、いくつかの領域が形成される。
【００２２】
ここで、図２及び図３の両方を参照する。図２は、本発明の第１の実施例によるマルチドメイン垂直配向液晶ディスプレイ（ＭＶＡ  ＬＣＤ）における１つのピクセルユニットの平面図を示す。図３は、図２中Ａ−Ａ線に沿った断面図を示す。図３において、ＭＶＡ  ＬＣＤは、基板１１ａと、基板１１ｂと、共通電極１２ｂと、ピクセル電極２５と、垂直配向フィルム１４ａと、垂直配向フィルム１４ｂと、基板１１ａ，１１ｂの間に液晶材料とを備える。液晶材料は、液晶分子が例えば電界の方向に対して８５〜９０度といったように略垂直に傾けられたようなネガティブタイプである。図２において、ＭＶＡ  ＬＣＤの１つのピクセルは、少なくとも、データライン２１と、ゲートライン２２と、ソース２３と、ドレイン２４と、ピクセル電極２５とを有する。ピクセル電極２５は、長い形状の主スリット２６と、長い形状の２つの主電極２８と、４つの格子電極とを有する。主スリット２６は、ピクセル電極２５の対角線上に位置し、主電極２８は、主スリット２６と略平行とされる。格子電極は、主電極２８の２つの側面にある。格子電極は、複数の細い副スリット２７と、複数の細い副電極２９とから構成される。副スリット２７は、副電極２９と交互に配置される。
【００２３】
ピクセル電極２５及び共通電極１２ｂの両端に電圧が印加される場合には、主電極２８と共通電極１２ｂは、格子電極と共通電極とよりも高い絶対電位差を有する。主スリット２６と共通電極１２ｂは、最も低い絶対電位差を有する。図３において、ライン３１は、電界３１の方向を表している。エリア３２は、最も強い電界を有し、主電極２８に相当する。エリア３３は、２番目に強い電界を有し、格子電極に相当する。エリア３４は、最も弱い電界を有し、主スリット２６に相当する。ライン３１は、同じピクセルユニットの異なるエリアで異なる方向を備えた電界に相当する。したがって、同じピクセルユニットの液晶分子は、「マルチドメイン」を形成する異なるチルト角を有する。したがって、本発明の第１の実施例は、単に基板上にスリットを作成することにより、マルチドメイン効果を果たすことができる。
【００２４】
図４は、本発明の第２の実施例によるＭＶＡ  ＬＣＤにおける１つのピクセルユニットの平面図を示す。ＭＶＡ  ＬＣＤの１つのピクセルは、少なくとも、データライン２１と、ゲートライン２２と、ソース２３と、ドレイン２４と、ピクセル電極４５とを有する。ピクセル電極４５は、長い形状の２つの主スリット４６と、長い形状の４つの主電極４８と、４つの格子電極とを有する。ピクセル電極４５は、主スリット４６によって４つの領域に分割される。格子電極は、主電極４８の２つの側面にある。格子電極は、複数の細い副スリット４７と、複数の細い副電極４９とから構成される。副スリット４７は、副電極４９と交互に配置される。
【００２５】
ピクセル電極４５及び共通電極の両端に電圧が印加される場合には、主電極４８と共通電極は、格子電極と共通電極とよりも高い絶対電位差を有する。主スリット４６と共通電極は、最も低い絶対電位差を有する。生成された電界は、同じピクセルユニットの異なるエリアで異なる方向を有する。したがって、同じピクセルユニットの液晶分子は、異なるチルト角を有し、「マルチドメイン」を形成する。
【００２６】
本発明の第２の実施例は、単に基板上にスリットを作成することにより、マルチドメイン効果を達成することができる。本発明は、バンプを製造する工程を省略することができ、液晶材料を満たすのに要する時間を約３分の２に削減することができる。
【００２７】
本発明が、一例を介して、また好ましい具体例として記述されていた一方で、本発明は、これに限定されるものではないことは理解されるべきである。これに対して、様々な変形例並びに同様の配置及び処理を包含するように意図されるべきである。したがって、添付した特許請求の範囲は、そのような変形例並びに同様の配置及び処理を全て包含するために、最も広い解釈がされるべきである。
【図面の簡単な説明】
【００２８】
【図１】電圧が印加されない場合における従来のＭＶＡ  ＬＣＤの断面図である。
【図２】本発明の第１の実施例によるマルチドメイン垂直配向液晶ディスプレイ（ＭＶＡ  ＬＣＤ）における１つのピクセルユニットの平面図である。
【図３】図２中Ａ−Ａ線に沿った断面図である。
【図４】本発明の第２の実施例によるＭＶＡ  ＬＣＤにおける１つのピクセルユニットの平面図である。
【符号の説明】
【００２９】
１１ａ，１１ｂ  基板
１２ｂ  共通電極
１４ａ，１４ｂ  垂直配向フィルム
２１  データライン
２２  ゲートライン
２３  ソース
２４  ドレイン
２５，４５  ピクセル電極
２６，４６  主スリット
２７，４７  副スリット
２８，４８  主電極
２９，４９  副電極
３１  電界（ライン）
３２，３３，３４  エリア
【図１】
2004341487.tif 000003
【図２】
2004341487.tif 000004
【図３】
2004341487.tif 000005
【図４】
2004341487.tif 000006